(57)【要約】ＤＶＤストリームレコーダにおいてデータストリームを編集する方法は、ＤＶＤストリームレコーダによってデータストリームを受け取るステップ（１）と、ストリームオブジェクトファイルを構文解析するステップ（２）と、構文解析の結果に基づいて論理セクションを識別するステップ（３）と、論理セクションをユーザに表示するステップ（４）と、ストリームオブジェクトファイルを編集するステップ（５）とを包含する。この方法をＤＶＤストリームレコーダにおいて実現することができる。ユーザは受け取ったＤＶＤリアルタイムイメージデータを有利に編集できる。
2004528786.tif 000002
【特許請求の範囲】
【請求項１】
ＤＶＤストリームレコーダにおいてデータストリームを編集する方法において、
−データストリームを受け取るステップと、
−圧縮されたデータ、例えばビデオデータ及び／又はオーディオデータを包含するストリームオブジェクトファイルを記憶するステップと、
−論理セクションを識別する（３）ために前記ストリームオブジェクトファイルを自動的に構文解析する（２）ステップと、
−前記論理セクションを表すデータをユーザに表示する（４）ステップと、
−選択された論理セクションに基づき前記ストリームオブジェクトファイルを編集する（５）ステップと、
を包含することを特徴とする、ＤＶＤストリームレコーダにおいてデータストリームを編集する方法。
【請求項２】
前記データストリームはＭＰＥＧ−２トランスポートストリーム、ＭＰＥＧ−２プログラムストリーム、ＤＶ  ＤＩＶパケットストリームまたはＡＴＭストリームである、請求項１記載の方法。
【請求項３】
前記論理セクションを前記データストリームのデータパケットにおけるヘッダ情報によって識別する、請求項１または２記載の方法。
【請求項４】
前記データストリームはアプリケーションパケットを包含する、請求項１から３までのいずれか１項記載の方法。
【請求項５】
前記データストリームは、異なるデータパケットフォーマットでデータパケットがカプセル化されているアプリケーションパケットを包含する、請求項１から４までのいずれか１項記載の方法。
【請求項６】
論理セクションは画像境界、画像の開始及び／又はユーザへの潜在的な興味となるデータストリームにおけるランドマークである、請求項１から５までのいずれか１項記載の方法。
【請求項７】
論理セクションは、アプリケーション認識構文解析によって識別される、プログラムの複合体の内の１つのプログラムである、請求項１から６までのいずれか１項記載の方法。
【請求項８】
表示される前記論理セクションを表す前記データを、ユーザレベルの編集入力の前記データストリームのデータパケットへのマッピングに使用する、請求項１から７までのいずれか１項記載の方法。
【請求項９】
１つの単一画像または複数の単一画像を抽出する及び／又は取り出す、請求項１から８までのいずれか１項記載の方法。
【請求項１０】
論理セクションはプログラム、オーディオトラック及び／又はビデオトラックである、請求項１から９までのいずれか１項記載の方法。
【請求項１１】
コンピュータにおいて使用される媒体に記憶されているコンピュータプログラム製品において、
プログラムがＤＶＤストリームレコーダの計算手段によって実行される場合に、前記ＤＶＤストリームレコーダに請求項１から９までのいずれか１項記載の方法を実施させる、コンピュータが読込可能なプログラム手段を包含することを特徴とする、コンピュータプログラム製品。
【請求項１２】
請求項１から１０までのいずれか１項記載のステップを実行することに適した手段を包含する、ＤＶＤストリームレコーダ。
【発明の詳細な説明】
【技術分野】
【０００１】
本発明は、ＤＶＤレコーダにおいてデータストリームを編集する方法及びＤＶＤストリームレコーダに関する。
【０００２】
背景技術
ＤＶＤ（ディジタル多目的ディスク、digital versatile disc）ストリームレコーディングシステムは、ＤＶＤストリームレコーディング仕様書「DVD Specifications for Rewritable/Re-recordable Discs, Part5, Stream Recording」２０００年５月において規定されており、あらゆる既存のディジタルビットストリームの記録、そのディジタルビットストリームの編集、またビットストリームとしての再生用の再書込及び記録可能なＤＶＤディスクを使用するために設計されている。このストリーマ規格によれば、通例はストリームオブジェクト（ＳＯＢ）は一般的に１つの記録されたビットストリームであり、すなわち、例えばＩＳＯ／ＩＥＣ  １３８１８−１、システム（ＭＰＥＧ−２）に記述されているようなプログラムストリームの一部として記憶されている１つのテイクである。ＳＯＢは１つまたは複数のストリームパックから構成されており、各々がパックヘッダを包含し、これにストリームパケットが続く。ストリームパケットはさらにヘッダデータ及びアプリケーションパケット（ＡＰ＿ＰＫＴ）を包含し、これらヘッダデータ及びアプリケーションパケットの各々にはアプリケーションタイムスタンプ（ＡＴＳ）が割り当てられている。これらのタイムスタンプは再生中の適切なアプリケーションパケット供給を可能にする。
【０００３】
ストリーマディスクにおいては、ストリームオブジェクトユニット（ＳＯＢＵ）はＳＯＢの基本単位であり、６４Ｋバイトの一定量のデータから成る。ストリームオブジェクトユニットは上述のアプリケーションパケットを包含する。ＳＯＢＵ境界もストリームパック境界もアプリケーションパケット境界に合わせる必要はない。ディスクからデータを検索するため、またナビゲーションを目的として、マッピングリスト（ＭＡＰＬ）が情報ファイルにおいて各ストリームオブジェクト（ＳＯＢ）に対して形成され、そこでは各ストリームオブジェクトユニットには相応の固有の継続時間が割り当てられている。
【０００４】
ＤＶＤストリームレコーディング仕様の１つの特徴は、１つのストリームオブジェクトユニットの一部または複数ものストリームオブジェクトユニットを包含するセルを一時的に消去し、次いでセルの回復もしくは永久的な消去を行えることである。永久的に消去する場合には、セル内の完全なストリームオブジェクトユニットを完全に再利用することができる。セルをどのアプリケーションパケットにおいても開始または終了させることができる。
【０００５】
ディスクの使用されるそれぞれの側に情報ファイルが割り当てられており、この情報ファイルの内容はストリーマ装置の構成部分であるメモリ、例えばＲＡＭに記憶される。
【０００６】
ＤＶＤビデオ規格は、ＭＰＥＧ−２ビデオを包含し、またオーディオＡＣ−３、ＭＰＥＧ及び線形ＰＣＭに関する複数の既存のオーディオ及びビデオの圧縮及び伝送規格に影響を及ぼす。典型的にはＤＶＤデータストリームはＤＶＤ処理パイプラインによって、例えばＤＶＤ−ＲＯＭドライブ及び／又は遠隔装置から受け取られ、復号及び伸張されたディジタルビデオ信号及び相応の１つのディジタルオーディオ信号または相応の複数のディジタルオーディオ信号に変換される。
【０００７】
ＤＶＤデータストリームは逐次的なデータパケットから成り、これらのデータパケットはそれぞれ典型的には種々のシステム情報、ビデオ情報及び／又はオーディオ情報を包含する。ＤＶＤビデオ復号パイプラインはハイレベル処理段、すなわちシステムストリーム構文解析段、ビデオ処理段及びオーディオ処理段を包含する。これらに関する付加的な情報及び別の処理段、及びＤＶＤ規格及びＭＰＥＧ−２規格の関連する部分は、表題「DVD Specification, version 1.0」１９９６年８月のＤＶＤ仕様書及びＭＰＥＧ−２ビデオ仕様書ＩＳＯ／ＩＥＣ  １３８１８−２に記載されている。
【０００８】
システムストリーム構文解析段では、到来するＤＶＤデータストリームは通常の場合３つの独立したデータストリーム、すなわちＭＰＥＧ−２ビデオストリーム、ＡＣ−３またはＭＰＥＧオーディオストリーム及びサブピクチャストリームに分割またはデマルチプレクス及び／又はデスクランブルされる。
【０００９】
発明
従来のＤＶＤストリームレコーダ及びＤＶＤストリームを記録する方法の一般的な欠点は、受け取ったデータをユーザフレンドリなやり方で編集できないことである。
【００１０】
本発明の課題は、ＤＶＤストリームレコーダにおいてデータストリームを記録するための改善された方法及び改善されたＤＶＤストリームレコーダを提供することである。
【００１１】
この課題は、請求項１に記載されている方法及び請求項１２の相応のＤＶＤストリームレコーダによって解決される。
【００１２】
本発明は、受け取ったリアルタイムデータにおける画像境界、画像の開始及び／又は他の興味深いランドマークのような、受け取ったデータにおける論理セクションを識別することができる。これらの論理セクションは、ユーザがＤＶＤデータをユーザフレンドリなやり方で編集できるようにユーザに表示される。受け取ったデータストリームの編集は、識別された論理セクションに基づいて、ユーザ入力操作を受け取ったデータにマッピングすることにより達成される。
【００１３】
原則として、本発明による方法はＤＶＤストリームレコーダにおけるデータストリームの編集に適しており、この方法は、
−データストリームを受け取るステップと、
−圧縮されたデータ、例えばビデオデータ及び／又はオーディオデータを包含するストリームオブジェクトファイルを記憶するステップと、
−論理セクションを識別するためにストリームオブジェクトファイルを自動的に構文解析するステップと、
−ユーザに論理セクションを表すデータを表示するステップと、
−選択された論理セクションに基づきストリームオブジェクトファイルを編集するステップと、
を包含する。
【００１４】
本発明による装置は、上述した方法を実施することに適している適切な手段を有する。
【００１５】
本発明の有利な付加的な実施形態は従属請求項に記載されている。
【００１６】
図面
本発明の実施例を図面に関連させて説明する。ここで図１は本発明の有利な実施形態を説明するフローチャートである。
【００１７】
実施例
図１のステップ１ではリアルタイムデータがＤＶＤストリームレコーダによって受け取られる。データはデータパケットで受信され、このデータパケットは上記のＤＶＤ規格においてＡＰ＿ＰＫＴと表されるアプリケーションパケットとも称される。アプリケーションパケットは１つまたは複数のＭＰＥＧ−２トランスポートストリームパケット、ＤＶ  ＤＩＦパケットまたはＡＴＭセルに対応することができる。
【００１８】
一般的にアプリケーションパケットは圧縮されたデータを包含するので、１つまたは複数のパケットを削除することはユーザにとって意味をなす有効な削除操作、すなわち、例えば伸張された完全な画像またはそのような画像における所望の領域を基礎とする削除操作にはならない。
【００１９】
受け取ったリアルタイムデータストリームは、ＳＲＯファイルと表すストリームオブジェクトファイルとして記憶される。ステップ２では、ＳＲＯファイルはＤＶＤストリーマによって構文解析される。
【００２０】
ステップ３では、ランドマークとも称される論理セクションが構文解析に基づきＳＲＯファイルにおいて識別される。このことは、ＳＲＯファイルの圧縮されたビットストリームにおける画像境界などの興味深いランドマークを発見するために、アプリケーション認識構文解析によって行うことができる。ＳＲＯファイルのデータパケットのヘッダ情報を、興味深いランドマーク及び画像境界のような論理セクションを識別するために使用することができる。択一的または付加的に、ＭＰＥＧビデオ開始コードを検索及び評価することができ、この開始コードはヘッダの最初のバイトを成す。
【００２１】
ステップ４では、ユーザレベルの編集操作を支援するために、論理セクションがユーザに表示される。論理セクションはユーザレベルの編集指示をデータパケットにマッピングするために使用される。これはステップ５でなされる。
【００２２】
上述のランドマークのコンセプトは、単一の画像の抽出または取出のような編集操作には殊に有利である。プログラムの複合体から１つの特別なプログラムを取り出すことに関しては別のアプローチがより適している。このアプローチでは、アプリケーション認識構文解析が先ず複合体に包含されているプログラムを識別し、ユーザに例えばリストを表示することにより情報を付与する。それに基づきユーザはどのプログラムを削除または編集すべきかを決定または選択する。上述の連続するステップ１から５を、ユーザが選択した単一のプログラム各々に関して（自動的に）適用することができる。
【００２３】
換言すれば、アプリケーション認識構文解析は記録された複合体におけるプログラムを識別することに使用される。複合体において使用可能なプログラムがユーザに表示され、ユーザは１つまたは複数の使用可能なプログラムを編集操作のために選択する。例えばプログラムはオーディオトラックまたはビデオトラックであっても良い。ＭＰＥＧ−４（ＩＳＯ／ＩＥＣ  １４４９６）の場合には、個々の内容オブジェクトはユーザによる選択及び編集のために構文解析によって識別される。
【００２４】
１つの実施形態においては、データストリームは異なるデータパケットフォーマットでデータパケットがカプセル化されているアプリケーションパケットを包含する。
【００２５】
本発明を上述のＤＶＤビデオシステムに使用することもできる。
【図面の簡単な説明】
【００２６】
【図１】本発明の有利な実施形態を説明するためのフローチャートである。
【図１】
2004528786.tif 000003
【国際公開パンフレット】
2004528786.tif 000004
2004528786.tif 000005
2004528786.tif 000006
2004528786.tif 000007
2004528786.tif 000008
2004528786.tif 000009
2004528786.tif 000010
2004528786.tif 000011
2004528786.tif 000012
2004528786.tif 000013
2004528786.tif 000014
【手続補正書】
【提出日】平成15年8月15日(2003.8.15)
【手続補正１】
【補正対象書類名】特許請求の範囲
【補正対象項目名】全文
【補正方法】変更
【補正の内容】
【特許請求の範囲】
【請求項１】
ＤＶＤストリームレコーダにおいてデータストリームを編集する方法において、
−ストリーマディスクからデータストリームを受け取るステップを有し、該ストリーマディスクにおいてはストリームオブジェクトユニット（ＳＯＢＵ）がストリームオブジェクト（ＳＯＢ）の基本単位であり、該ストリームオブジェクトユニットは各々一定量のデータから成り、該ストリームオブジェクトユニットは圧縮されたビデオデータを包含するアプリケーションパケットを有し、該ストリームオブジェクトユニットの境界を前記アプリケーションパケットの境界に合わせる必要はなく、
−前記圧縮されたビデオデータを包含するストリームオブジェクトファイルを記録するステップを有し、
−論理セクションを識別する（３）ために前記ストリームオブジェクトファイルを自動的に構文解析する（２）ステップを有し、該論理セクションを前記データストリームのデータパケットにおけるヘッダ情報によって識別し、該論理セクションは画像境界、データストリームにおける画像の開始及び／又はユーザにとって潜在的に興味となるランドマークであり、
−前記論理セクションを表すデータをユーザに表示する（４）ステップを有し、前記論理セクションを表す該データをユーザレベルの編集入力の前記データストリームのデータパケットへのマッピングに使用し、
−選択された論理セクションに基づいて前記ストリームオブジェクトを編集する（５）ステップを有する、
ことを特徴とする、ＤＶＤストリームレコーダにおいてデータストリームを編集する方法。
【請求項２】
前記編集において１つの単一画像または複数の単一画像を抽出する及び／又は取り出す、請求項１記載の方法。
【請求項３】
前記データストリームはＭＰＥＧ−２トランスポートストリーム、ＭＰＥＧ−２プログラムストリーム、ＤＶ  ＤＩＶパケットストリームまたはＡＴＭストリームである、請求項１または２記載の方法。
【請求項４】
論理セクションは、アプリケーション認識構文解析により識別される、プログラムの複合体の内の１つのプログラムであり、請求項１から３までのいずれか１項記載の方法。
【請求項５】
論理セクションはプログラムまたはビデオトラックである、請求項１から３までのいずれか１項記載の方法。
【国際調査報告】
2004528786.tif 000015
2004528786.tif 000016